【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
無線通信のための装置であって、
第１の間隔に従って発生する、ネットワークのための第１のタイプの発見ウィンドウの発生を決定することと、
前記第１の間隔よりも短い第２の間隔に従って発生する、前記ネットワークのための第２のタイプの発見ウィンドウの発生を決定することと、
を行うように構成された処理システムと、
前記ネットワークにおける送信のために、前記第１のタイプの発見ウィンドウまたは前記第２のタイプの発見ウィンドウのうちの少なくとも１つ中で、時間同期情報またはサービス情報のうちの少なくとも１つを出力するように構成された第１のインターフェースと、
を備える、装置。
【請求項２】
前記ネットワークに関連する少なくとも１つの他の装置から、前記第１のタイプの前記発見ウィンドウまたは前記第２のタイプの前記発見ウィンドウのうちの少なくとも１つ中で、前記時間同期情報または前記サービス情報のうちの少なくとも１つを取得するように構成された第２のインターフェース、
をさらに備える、請求項１に記載の装置。
【請求項３】
前記処理システムは、前記装置に関連するロケーションまたは領域のうちの少なくとも１つに基づいて、前記時間同期情報または前記サービス情報を取得するために使用する、動作帯域内の１つまたは複数のチャネルのサブセットを決定するようにさらに構成された、請求項１に記載の装置。
【請求項４】
前記処理システムは、
前記第１の間隔と、前記ネットワークにおいてデバイスによって使用される時間同期機能（ＴＳＦ）とに基づいて、前記第１のタイプの前記発見ウィンドウの発生を決定することと、
前記第２の間隔と前記ＴＳＦとに基づいて、前記第２のタイプの前記発見ウィンドウの発生を決定することと、
を行うように構成された、請求項１に記載の装置。
【請求項５】
前記ネットワークはネイバーアウェアネットワーク（ＮＡＮ）を備える、請求項１に記載の装置。
【請求項６】
前記第１のタイプの前記発見ウィンドウは、少なくとも前記時間同期情報を通信するためのものであり、
前記第２のタイプの前記発見ウィンドウは、少なくとも前記サービス情報を通信するためのものであり、前記サービス情報は、どんなサービスが前記ネットワーク内で利用可能であるかを広告するためのものである、
請求項１に記載の装置。
【請求項７】
前記第１のタイプの前記発見ウィンドウは第１の持続時間を有し、
前記第２のタイプの前記発見ウィンドウは、前記第１の持続時間よりも短い第２の持続時間を有する、
請求項１に記載の装置。
【請求項８】
前記時間同期情報および前記サービス情報は、サブ１ＧＨｚ（Ｓ１Ｇ）帯域を介して通信される、請求項１に記載の装置。
【請求項９】
前記処理システムは、前記時間同期情報または前記サービス情報を含むフレームを生成するように構成され、
前記第１のインターフェースは、前記第１のタイプの前記発見ウィンドウまたは前記第２のタイプの前記発見ウィンドウのうちの少なくとも１つ中で、送信のために前記フレームを出力するように構成された、
請求項１に記載の装置。
【請求項１０】
前記処理システムは、前記第１のタイプの前記発見ウィンドウの各発生において、送信のために出力されるべき、前記時間同期情報を含むフレームを生成するように構成された、請求項１に記載の装置。
【請求項１１】
前記処理システムは、
前記装置を第１の電力状態に入れることと、
前記第１のタイプの前記発見ウィンドウまたは前記第２のタイプの前記発見ウィンドウのうちの少なくとも１つ中で前記フレームを送信するために、前記第１の電力状態から出ることと、
を行うように構成された、請求項１０に記載の装置。
【請求項１２】
前記処理システムは、
前記サービス情報を含むフレームを生成することと、
前記装置を第１の電力状態に入れることと、
前記第２のタイプの前記発見ウィンドウの発生のうちのサブセットにおいてのみ前記フレームを送信するために、前記第１の電力状態から出ることと、
を行うように構成された、請求項１に記載の装置。
【請求項１３】
前記処理システムは、ショートプローブ応答フレームフォーマット、ショートビーコンフレームフォーマット、またはショート管理フレームフォーマットに基づいて、前記フレームを生成するように構成された、請求項１２に記載の装置。
【請求項１４】
前記ネットワークにおける装置のグループの識別情報は、前記フレームのアドレスフィールド中に含まれる、請求項１２に記載の装置。
【請求項１５】
前記装置のソースアドレスは、前記フレームのオプション要素フィールド中に含まれる、請求項１２に記載の装置。
【請求項１６】
前記ネットワークにおける装置のグループの短い識別情報が、装置の前記グループのより長い識別情報に基づいて生成され、前記フレームのアドレスフィールド中に含まれている、請求項１２に記載の装置。
【請求項１７】
前記短い識別情報は、前記より長い識別情報のハッシュ、または前記より長い識別情報の１つまたは複数の下位バイトを備える、請求項１６に記載の装置。
【請求項１８】
前記装置は、前記第１のタイプの前記発見ウィンドウまたは前記第２のタイプの前記発見ウィンドウのうちの少なくとも１つ中で、前記時間同期情報を含むフレームを取得するように構成された第２のインターフェースをさらに備え、
前記処理システムは、前記時間同期情報に基づいて内部クロックを更新するように構成された、
請求項１に記載の装置。
【請求項１９】
前記処理システムは、
前記装置を第１の電力状態に入れることと、
前記第１のタイプの前記発見ウィンドウまたは前記第２のタイプの前記発見ウィンドウのうちの少なくとも１つ中で前記フレームを取得するために、前記第１の電力状態から出ることと、
を行うように構成された、請求項１８に記載の装置。
【請求項２０】
前記装置は、前記第１のタイプの前記発見ウィンドウまたは前記第２のタイプの前記発見ウィンドウのうちの少なくとも１つ中で、前記サービス情報を含むフレームを取得するように構成された第２のインターフェースをさらに備え、
前記処理システムは、前記サービス情報に基づいて、前記ネットワークにおいて利用可能なサービスを決定することと、前記決定されたサービスに基づいて、前記ネットワークに加入することを試みるべきかどうかを決定することと、を行うように構成された、
請求項１に記載の装置。
【請求項２１】
前記処理システムは、
前記装置を第１の電力状態に入れることと、
前記第１のタイプの前記発見ウィンドウまたは前記第２のタイプの前記発見ウィンドウのうちの少なくとも１つ中で前記フレームを取得するために、前記第１の電力状態から出ることと、
を行うように構成された、請求項２０に記載の装置。
【請求項２２】
前記処理システムは、
前記第２のタイプの前記発見ウィンドウの発生のうちのサブセットにおいてのみ前記フレームを取得するために、前記第１の電力状態から出ること、
を行うように構成された、請求項２１に記載の装置。
【請求項２３】
装置によるワイヤレス通信のための方法であって、
第１の間隔に従って発生する、ネットワークのための第１のタイプの発見ウィンドウの発生を決定することと、
前記第１の間隔よりも短い第２の間隔に従って発生する、前記ネットワークのための第２のタイプの発見ウィンドウの発生を決定することと、
前記ネットワークにおける送信のために、前記第１のタイプの発見ウィンドウまたは前記第２のタイプの発見ウィンドウのうちの少なくとも１つ中で、時間同期情報またはサービス情報のうちの少なくとも１つを出力することと、
を備える、方法。
【請求項２４】
ワイヤレス通信のための装置であって、
第１の間隔に従って発生する、ネットワークのための第１のタイプの発見ウィンドウの発生を決定するための手段と、
前記第１の間隔よりも短い第２の間隔に従って発生する、前記ネットワークのための第２のタイプの発見ウィンドウの発生を決定するための手段と、
前記ネットワークにおける送信のために、前記第１のタイプの発見ウィンドウまたは前記第２のタイプの発見ウィンドウのうちの少なくとも１つ中で、時間同期情報またはサービス情報のうちの少なくとも１つを出力するための手段と、
を備える、装置。
【請求項２５】
局であって、
第１の間隔に従って発生する、ネットワークのための第１のタイプの発見ウィンドウの発生を決定することと、
前記第１の間隔よりも短い第２の間隔に従って発生する、前記ネットワークのための第２のタイプの発見ウィンドウの発生を決定することと、
を行うように構成された処理システムと、
前記第１のタイプの発見ウィンドウまたは前記第２のタイプの発見ウィンドウのうちの少なくとも１つ中で、時間同期情報またはサービス情報のうちの少なくとも１つを送信するように構成された送信機と、
を備える、局。
【手続補正２】
【補正対象書類名】明細書
【補正対象項目名】００８７
【補正方法】変更
【補正の内容】
【００８７】
[0098]特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
以下に本願発明の当初の特許請求の範囲に記載された発明を付記する。
［Ｃ１］
無線通信のための装置であって、
第１の間隔に従って発生する、ネットワークのための第１のタイプの発見ウィンドウの発生を決定することと、
前記第１の間隔よりも短い第２の間隔に従って発生する、前記ネットワークのための第２のタイプの発見ウィンドウの発生を決定することと、
を行うように構成された処理システムと、
前記ネットワークにおける送信のために、前記第１のタイプの発見ウィンドウまたは前記第２のタイプの発見ウィンドウのうちの少なくとも１つ中で、時間同期情報またはサービス情報のうちの少なくとも１つを出力するように構成された第１のインターフェースと、
を備える、装置。
［Ｃ２］
前記ネットワークに関連する少なくとも１つの他の装置から、前記第１のタイプの前記発見ウィンドウまたは前記第２のタイプの前記発見ウィンドウのうちの少なくとも１つ中で、前記時間同期情報または前記サービス情報のうちの少なくとも１つを取得するように構成された第２のインターフェース、
をさらに備える、Ｃ１に記載の装置。
［Ｃ３］
前記処理システムは、前記装置に関連するロケーションまたは領域のうちの少なくとも１つに基づいて、前記時間同期情報または前記サービス情報を取得するために使用する、動作帯域内の１つまたは複数のチャネルのサブセットを決定するようにさらに構成された、Ｃ１に記載の装置。
［Ｃ４］
前記処理システムは、
前記第１の間隔と、前記ネットワークにおいてデバイスによって使用される時間同期機能（ＴＳＦ）とに基づいて、前記第１のタイプの前記発見ウィンドウの発生を決定することと、
前記第２の間隔と前記ＴＳＦとに基づいて、前記第２のタイプの前記発見ウィンドウの発生を決定することと、
を行うように構成された、Ｃ１に記載の装置。
［Ｃ５］
前記ネットワークはネイバーアウェアネットワーク（ＮＡＮ）を備える、Ｃ１に記載の装置。
［Ｃ６］
前記第１のタイプの前記発見ウィンドウは、少なくとも前記時間同期情報を通信するためのものであり、
前記第２のタイプの前記発見ウィンドウは、少なくとも前記サービス情報を通信するためのものである、
Ｃ１に記載の装置。
［Ｃ７］
前記第１のタイプの前記発見ウィンドウは第１の持続時間を有し、
前記第２のタイプの前記発見ウィンドウは、前記第１の持続時間よりも短い第２の持続時間を有する、
Ｃ１に記載の装置。
［Ｃ８］
前記時間同期情報および前記サービス情報は、前記ビアサブ１ＧＨｚ（Ｓ１Ｇ）帯域内で通信される、Ｃ１に記載の装置。
［Ｃ９］
前記処理システムは、前記時間同期情報または前記サービス情報を含むフレームを生成するように構成され、
前記第１のインターフェースは、前記第１のタイプの前記発見ウィンドウまたは前記第２のタイプの前記発見ウィンドウのうちの少なくとも１つ中で、送信のために前記フレームを出力するように構成された、
Ｃ１に記載の装置。
［Ｃ１０］
前記処理システムは、前記第１のタイプの前記発見ウィンドウの各発生において、送信のために出力されるべき、前記時間同期情報を含むフレームを生成するように構成された、Ｃ１に記載の装置。
［Ｃ１１］
前記処理システムは、
前記装置を第１の電力状態に入れることと、
前記第１のタイプの前記発見ウィンドウまたは前記第２のタイプの前記発見ウィンドウのうちの少なくとも１つ中で前記フレームを送信するために、前記第１の電力状態から出ることと、
を行うように構成された、Ｃ１０に記載の装置。
［Ｃ１２］
前記処理システムは、
前記サービス情報を含むフレームを生成することと、
前記装置を第１の電力状態に入れることと、
前記第２のタイプの前記発見ウィンドウの発生のうちのサブセットにおいてのみ前記フレームを送信するために、前記第１の電力状態から出ることと、
を行うように構成された、Ｃ１に記載の装置。
［Ｃ１３］
前記処理システムは、ショートプローブ応答フレームフォーマット、ショートビーコンフレームフォーマット、またはショート管理フレームフォーマットに基づいて、前記フレームを生成するように構成された、Ｃ１２に記載の装置。
［Ｃ１４］
前記ネットワークにおける装置のグループの識別情報は、前記フレームのアドレスフィールド中に含まれる、Ｃ１２に記載の装置。
［Ｃ１５］
前記装置のソースアドレスは、前記フレームのオプション要素フィールド中に含まれる、Ｃ１２に記載の装置。
［Ｃ１６］
前記ネットワークにおける装置のグループの短い識別情報が、装置の前記グループのより長い識別情報に基づいて生成され、前記フレームのアドレスフィールド中に含まれている、Ｃ１２に記載の装置。
［Ｃ１７］
前記短い識別情報は、前記より長い識別情報のハッシュ、または前記より長い識別情報の１つまたは複数の下位バイトを備える、Ｃ１６に記載の装置。
［Ｃ１８］
前記装置は、前記第１のタイプの前記発見ウィンドウまたは前記第２のタイプの前記発見ウィンドウのうちの少なくとも１つ中で、前記時間同期情報を含むフレームを取得するように構成された第２のインターフェースをさらに備え、
前記処理システムは、前記時間同期情報に基づいて内部クロックを更新するように構成された、
Ｃ１に記載の装置。
［Ｃ１９］
前記処理システムは、
前記装置を第１の電力状態に入れることと、
前記第１のタイプの前記発見ウィンドウまたは前記第２のタイプの前記発見ウィンドウのうちの少なくとも１つ中で前記フレームを取得するために、前記第１の電力状態から出ることと、
を行うように構成された、Ｃ１８に記載の装置。
［Ｃ２０］
前記装置は、前記第１のタイプの前記発見ウィンドウまたは前記第２のタイプの前記発見ウィンドウのうちの少なくとも１つ中で、前記サービス情報を含むフレームを取得するように構成された第２のインターフェースをさらに備え、
前記処理システムは、前記サービス情報に基づいて、前記ネットワークにおいて利用可能なサービスを決定することと、前記決定されたサービスに基づいて、前記ネットワークに加入することを試みるべきかどうかを決定することと、を行うように構成された、
Ｃ１に記載の装置。
［Ｃ２１］
前記処理システムは、
前記装置を第１の電力状態に入れることと、
前記第１のタイプの前記発見ウィンドウまたは前記第２のタイプの前記発見ウィンドウのうちの少なくとも１つ中で前記フレームを取得するために、前記第１の電力状態から出ることと、
を行うように構成された、Ｃ２０に記載の装置。
［Ｃ２２］
前記処理システムは、
前記第２のタイプの前記発見ウィンドウの発生のうちのサブセットにおいてのみ前記フレームを取得するために、前記第１の電力状態から出ること、
を行うように構成された、Ｃ２１に記載の装置。
［Ｃ２３］
装置によるワイヤレス通信のための方法であって、
第１の間隔に従って発生する、ネットワークのための第１のタイプの発見ウィンドウの発生を決定することと、
前記第１の間隔よりも短い第２の間隔に従って発生する、前記のための第２のタイプの発見ウィンドウの発生を決定することと、
前記ネットワークにおける送信のために、前記第１のタイプの発見ウィンドウまたは前記第２のタイプの発見ウィンドウのうちの少なくとも１つ中で、時間同期情報またはサービス情報のうちの少なくとも１つを出力することと、
を備える、方法。
［Ｃ２４］
前記ネットワークに関連する少なくとも１つの他の装置から、前記第１のタイプの前記発見ウィンドウまたは前記第２のタイプの前記発見ウィンドウのうちの少なくとも１つ中で、前記時間同期情報または前記サービス情報のうちの少なくとも１つを取得すること、 をさらに備える、Ｃ２３に記載の方法。
［Ｃ２５］
前記装置に関連するロケーションまたは領域のうちの少なくとも１つに基づいて、前記時間同期情報または前記サービス情報を取得するために使用する、動作帯域内の１つまたは複数のチャネルのサブセットを決定することをさらに備える、Ｃ２３に記載の方法。
［Ｃ２６］
前記第１のタイプの前記発見ウィンドウの前記発生は、前記第１の間隔と、前記ネットワークにおいてデバイスによって使用される時間同期機能（ＴＳＦ）とに基づいて決定され、
前記第２のタイプの前記発見ウィンドウの前記発生は、前記第２の間隔と前記ＴＳＦとに基づいて決定される、
Ｃ２３に記載の方法。
［Ｃ２７］
前記ネットワークがネイバーアウェアネットワーク（ＮＡＮ）を備える、Ｃ２３に記載の方法。
［Ｃ２８］
前記第１のタイプの前記発見ウィンドウは、少なくとも前記時間同期情報を通信するためのものであり、
前記第２のタイプの前記発見ウィンドウは、少なくとも前記サービス情報を通信するためのものである、
Ｃ２３に記載の方法。
［Ｃ２９］
前記第１のタイプの前記発見ウィンドウは第１の持続時間を有し、
前記第２のタイプの前記発見ウィンドウは、前記第１の持続時間よりも短い第２の持続時間を有する、
Ｃ２３に記載の方法。
［Ｃ３０］
前記時間同期情報および前記サービス情報は、前記ビアサブ１ＧＨｚ（Ｓ１Ｇ）帯域内で通信される、Ｃ２３に記載の方法。
［Ｃ３１］
前記時間同期情報または前記サービス情報を含むフレームを生成することと、
前記第１のタイプの前記発見ウィンドウまたは前記第２のタイプの前記発見ウィンドウのうちの少なくとも１つ中で、送信のために前記フレームを出力することと、
をさらに備える、Ｃ２３に記載の方法。
［Ｃ３２］
前記第１のタイプの前記発見ウィンドウの各発生において、送信のために出力されるべき、前記時間同期情報を含むフレームを生成することをさらに備える、Ｃ２３に記載の方法。
［Ｃ３３］
前記装置を第１の電力状態に入れることと、
前記第１のタイプの前記発見ウィンドウまたは前記第２のタイプの前記発見ウィンドウのうちの少なくとも１つ中で前記フレームを送信するために、前記第１の電力状態から出ることと、
をさらに備える、Ｃ３２に記載の方法。
［Ｃ３４］
前記サービス情報を含むフレームを生成することと、
前記装置を第１の電力状態に入れることと、
前記第２のタイプの前記発見ウィンドウの発生のうちのサブセットにおいてのみ前記フレームを送信するために、前記第１の電力状態から出ることと、
をさらに備える、Ｃ２３に記載の方法。
［Ｃ３５］
ショートプローブ応答フレームフォーマット、ショートビーコンフレームフォーマット、またはショート管理フレームフォーマットに基づいて、前記フレームを生成することをさらに備える、Ｃ３４に記載の方法。
［Ｃ３６］
前記ネットワークにおける装置のグループの識別情報は、前記フレームのアドレスフィールド中に含まれる、Ｃ３４に記載の方法。
［Ｃ３７］
前記装置のソースアドレスは、前記フレームのオプション要素フィールド中に含まれる、Ｃ３４に記載の方法。
［Ｃ３８］
前記ネットワークにおける装置のグループの短い識別情報が、装置の前記グループのより長い識別情報に基づいて生成され、前記フレームのアドレスフィールド中に含まれている、Ｃ３４に記載の方法。
［Ｃ３９］
前記短い識別情報は、前記より長い識別情報のハッシュ、または前記より長い識別情報の１つまたは複数の下位バイトを備える、Ｃ３８に記載の方法。
［Ｃ４０］
前記第１のタイプの前記発見ウィンドウまたは前記第２のタイプの前記発見ウィンドウのうちの少なくとも１つ中で、前記時間同期情報を含むフレームを取得することと、
前記時間同期情報に基づいて内部クロックを更新することと、
をさらに備える、Ｃ２３に記載の方法。
［Ｃ４１］
前記装置を第１の電力状態に入れることと、
前記第１のタイプの前記発見ウィンドウまたは前記第２のタイプの前記発見ウィンドウのうちの少なくとも１つ中で前記フレームを取得するために、前記第１の電力状態から出ることと、
をさらに備える、Ｃ４０に記載の方法。
［Ｃ４２］
前記第１のタイプの前記発見ウィンドウまたは前記第２のタイプの前記発見ウィンドウのうちの少なくとも１つ中で、前記サービス情報を含むフレームを取得することと、
前記サービス情報に基づいて、前記ネットワークにおいて利用可能なサービスを決定することと、
前記決定されたサービスに基づいて、前記ネットワークに加入することを試みるべきかどうかを決定することと、
をさらに備える、Ｃ２３に記載の方法。
［Ｃ４３］
前記装置を第１の電力状態に入れることと、
前記第１のタイプの前記発見ウィンドウまたは前記第２のタイプの前記発見ウィンドウのうちの少なくとも１つ中で前記フレームを取得するために、前記第１の電力状態から出ることと、
をさらに備える、Ｃ４２に記載の方法。
［Ｃ４４］
前記第２のタイプの前記発見ウィンドウの発生のうちのサブセットにおいてのみ前記フレームを取得するために、前記第１の電力状態から出ること、
をさらに備える、Ｃ４３に記載の方法。
［Ｃ４５］
ワイヤレス通信のための装置であって、
第１の間隔に従って発生する、ネットワークのための第１のタイプの発見ウィンドウの発生を決定するための手段と、
前記第１の間隔よりも短い第２の間隔に従って発生する、前記のための第２のタイプの発見ウィンドウの発生を決定するための手段と、
前記ネットワークにおける送信のために、前記第１のタイプの発見ウィンドウまたは前記第２のタイプの発見ウィンドウのうちの少なくとも１つ中で、時間同期情報またはサービス情報のうちの少なくとも１つを出力するための手段と、
を備える、装置。
［Ｃ４６］
前記ネットワークに関連する少なくとも１つの他の装置から、前記第１のタイプの前記発見ウィンドウまたは前記第２のタイプの前記発見ウィンドウのうちの少なくとも１つ中で、前記時間同期情報または前記サービス情報のうちの少なくとも１つを取得するための手段、
をさらに備える、Ｃ４５に記載の装置。
［Ｃ４７］
前記装置に関連するロケーションまたは領域のうちの少なくとも１つに基づいて、前記時間同期情報または前記サービス情報を取得するために使用する、動作帯域内の１つまたは複数のチャネルのサブセットを決定するための手段をさらに備える、Ｃ４５に記載の装置。
［Ｃ４８］
前記第１のタイプの前記発見ウィンドウの前記発生は、前記第１の間隔と、前記ネットワークにおいてデバイスによって使用される時間同期機能（ＴＳＦ）とに基づいて決定され、
前記第２のタイプの前記発見ウィンドウの前記発生は、前記第２の間隔と前記ＴＳＦとに基づいて決定される、
Ｃ４５に記載の装置。
［Ｃ４９］
前記ネットワークはネイバーアウェアネットワーク（ＮＡＮ）を備える、Ｃ４５に記載の装置。
［Ｃ５０］
前記第１のタイプの前記発見ウィンドウは、少なくとも前記時間同期情報を通信するためのものであり、
前記第２のタイプの前記発見ウィンドウは、少なくとも前記サービス情報を通信するためのものである、
Ｃ４５に記載の装置。
［Ｃ５１］
前記第１のタイプの前記発見ウィンドウは第１の持続時間を有し、
前記第２のタイプの前記発見ウィンドウは、前記第１の持続時間よりも短い第２の持続時間を有する、
Ｃ４５に記載の装置。
［Ｃ５２］
前記時間同期情報および前記サービス情報は、前記ビアサブ１ＧＨｚ（Ｓ１Ｇ）帯域内で通信される、Ｃ４５に記載の装置。
［Ｃ５３］
前記時間同期情報または前記サービス情報を含むフレームを生成するための手段と、 前記第１のタイプの前記発見ウィンドウまたは前記第２のタイプの前記発見ウィンドウのうちの少なくとも１つ中で、送信のために前記フレームを出力するための手段と、
をさらに備える、Ｃ４５に記載の装置。
［Ｃ５４］
前記第１のタイプの前記発見ウィンドウの各発生において、送信のために出力されるべき、前記時間同期情報を含むフレームを生成するための手段をさらに備える、Ｃ４５に記載の装置。
［Ｃ５５］
前記装置を第１の電力状態に入れるための手段と、
前記第１のタイプの前記発見ウィンドウまたは前記第２のタイプの前記発見ウィンドウのうちの少なくとも１つ中で前記フレームを送信するために、前記第１の電力状態から出るための手段と、
をさらに備える、Ｃ５４に記載の装置。
［Ｃ５６］
前記サービス情報を含むフレームを生成するための手段と、
前記装置を第１の電力状態に入れるための手段と、
前記第２のタイプの前記発見ウィンドウの発生のうちのサブセットにおいてのみ前記フレームを送信するために、前記第１の電力状態から出るための手段と、
をさらに備える、Ｃ４５に記載の装置。
［Ｃ５７］
ショートプローブ応答フレームフォーマット、ショートビーコンフレームフォーマット、またはショート管理フレームフォーマットに基づいて、前記フレームを生成するための手段をさらに備える、Ｃ５６に記載の装置。
［Ｃ５８］
前記ネットワークにおける装置のグループの識別情報は、前記フレームのアドレスフィールド中に含まれる、Ｃ５６に記載の装置。
［Ｃ５９］
前記装置のソースアドレスは、前記フレームのオプション要素フィールド中に含まれる、Ｃ５６に記載の装置。
［Ｃ６０］
前記ネットワークにおける装置のグループの短い識別情報が、装置の前記グループのより長い識別情報に基づいて生成され、前記フレームのアドレスフィールド中に含まれている、Ｃ５６に記載の装置。
［Ｃ６１］
前記短い識別情報は、前記より長い識別情報のハッシュ、または前記より長い識別情報の１つまたは複数の下位バイトを備える、Ｃ６０に記載の装置。
［Ｃ６２］
前記第１のタイプの前記発見ウィンドウまたは前記第２のタイプの前記発見ウィンドウのうちの少なくとも１つ中で、前記時間同期情報を含むフレームを取得するための手段と、
前記時間同期情報に基づいて内部クロックを更新するための手段と、
をさらに備える、Ｃ４５に記載の装置。
［Ｃ６３］
前記装置を第１の電力状態に入れるための手段と、
前記第１のタイプの前記発見ウィンドウまたは前記第２のタイプの前記発見ウィンドウのうちの少なくとも１つ中で前記フレームを取得するために、前記第１の電力状態から出るための手段と、
をさらに備える、Ｃ６２に記載の装置。
［Ｃ６４］
前記第１のタイプの前記発見ウィンドウまたは前記第２のタイプの前記発見ウィンドウのうちの少なくとも１つ中で、前記サービス情報を含むフレームを取得するための手段と、
前記サービス情報に基づいて、前記ネットワークにおいて利用可能なサービスを決定するための手段と、
前記決定されたサービスに基づいて、前記ネットワークに加入することを試みるべきかどうかを決定するための手段と、
をさらに備える、Ｃ４５に記載の装置。
［Ｃ６５］
前記装置を第１の電力状態に入れるための手段と、
前記第１のタイプの前記発見ウィンドウまたは前記第２のタイプの前記発見ウィンドウのうちの少なくとも１つ中で前記フレームを取得するために、前記第１の電力状態から出るための手段と、
をさらに備える、Ｃ６４に記載の装置。
［Ｃ６６］
前記第２のタイプの前記発見ウィンドウの発生のうちのサブセットにおいてのみ前記フレームを取得するために、前記第１の電力状態から出るための手段、 
をさらに備える、Ｃ６５に記載の装置。
［Ｃ６７］
第１の間隔に従って発生する、ネットワークのための第１のタイプの発見ウィンドウの発生を決定することと、
前記第１の間隔よりも短い第２の間隔に従って発生する、前記のための第２のタイプの発見ウィンドウの発生を決定することと、
前記ネットワークにおける送信のために、前記第１のタイプの発見ウィンドウまたは前記第２のタイプの発見ウィンドウのうちの少なくとも１つ中で、時間同期情報またはサービス情報のうちの少なくとも１つを出力することと、
を行うための命令を記憶したコンピュータ可読媒体。
［Ｃ６８］
少なくとも１つのアンテナと、
第１の間隔に従って発生する、ネットワークのための第１のタイプの発見ウィンドウの発生を決定することと、前記第１の間隔よりも短い第２の間隔に従って発生する、前記のための第２のタイプの発見ウィンドウの発生を決定することと、を行うように構成された処理システムと、
前記少なくとも１つのアンテナを介して、前記第１のタイプの発見ウィンドウまたは前記第２のタイプの発見ウィンドウのうちの少なくとも１つ中で、前記ネットワークに、時間同期情報またはサービス情報のうちの少なくとも１つを送信するように構成された送信機と、
を備える、局。